(57)【要約】  【課題】可視光線領域内の波長を発光する発光ダイオードを冷蔵庫等の庫内照明として使用する場合に、発光ダイオードの指向性により、冷蔵庫内の保存物の上下位置関係により保存物の視認性が低下しにくい冷蔵庫を提供する。  【解決手段】１個の発光ダイオード１７を差し込んだ通電端子受け部１９が実装された実装基板１８を冷蔵庫庫内左右壁面に複数個、照明装置１６として配設することにより、冷蔵庫庫内の保存物の上下位置関係による影の発生を抑制することが出来、保存物の視認性を向上することができる。また、発光ダイオードに不備があった場合でも簡単に交換することができる。【選択図】図３
2009115407.tif 000002
【特許請求の範囲】
【請求項１】
冷蔵庫内を照射する照明装置として、可視光線領域内の波長を発光する発光ダイオードを１個配設した基板を前記冷蔵庫内に複数個配設したことを特徴とする冷蔵庫。
【請求項２】
冷蔵庫内を照射する照明装置として、可視光線領域内の波長を発光する発光ダイオードの通電端子を基板上に設けた通電端子受け部に接続することを特徴とする冷蔵庫。
【請求項３】
冷蔵庫内を照射する照明装置として、可視光線領域内の波長を発光する発光ダイオードの通電端子先端に接続端子を設け、基板に設けた接続端子受け部に接続することを特徴とする冷蔵庫。
【請求項４】
冷蔵庫内を照射する照明装置として、可視光線領域内の波長を発光する発光ダイオードの通電端子先端に接続端子を設け、冷蔵庫内壁に設けた接続端子受け部に接続することを特徴とする冷蔵庫。
【請求項５】
発光ダイオードは、発光ダイオード保持部を有したランプカバーと一体で構成されていることを特徴とした請求項１から４のいずれか一項に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図８は特許文献１に記載された従来の製氷機の照明装置の斜視図であり、図９は図８の照明装置を製氷機の庫内天面に設置した概念図を示すものである。
【０００５】
図８の照明装置３０において、実装基板１０１は平板状で、一面または両面に回路パターン（図示せず）が形成され、熱伝導性の良好なエポキシ樹脂系の基板や絶縁金属基板を使用する。発光ダイオード１０２は砲弾状に形成され、ＧａＮ系の青色ダイオードからの青色光を用いて蛍光材を励起して白色光を得る構造で、電流を通電する２本の通電端子１０３が導出される。
【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。
【０００７】
図９において、照明装置３０は、製氷機３１の庫内の天面３２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、複数個の発光ダイオードが同一基板上に実装されているため、照明装置の前に収納物が置かれた場合、保存物の視認性は、収納棚そのものや収納棚上に置かれた保存物により影が発生することにより悪化する。
【００１１】
また、１個でも発光ダイオードに不良がある場合や実装基板に不良がある場合、発光ダイオードが実装された基板ごと交換しなければならない。また、不良である発光ダイオードのみを交換するにははんだを外さなければならないため、非常に手間を要することになる。
【００１２】
本発明は、上記従来の課題を解決するもので、冷蔵庫内の保存物の視認性を向上させることと照明装置である発光ダイオードを安価にしかも容易に交換できることを目的とした照明装置を有する冷蔵庫を提供することを目的とする。
【課題を解決するための手段】
【００１３】
上記従来の課題を解決するために、本発明の冷蔵庫は、可視光線領域内の波長を発光する発光ダイオードを１個配設した基板を冷蔵庫内に複数個配設したものである。
【発明の効果】
【００１４】
本発明の冷蔵庫は、発光ダイオードを１個実装した基板を冷蔵庫内に複数個配設することにより、収納物の影響を受けにくいため、庫内全体の保存物の視認性を向上することができる。また、発光ダイオードの不良の場合でも不良品のみを交換すれば良いので、複数個の発光ダイオードが実装された基板と比較して各段に安価にできる。
【発明を実施するための最良の形態】
【００１５】
請求項１に記載の発明は、冷蔵庫内を照射する照明装置として、可視光線領域内の波長を発光する発光ダイオードを基板上に１個配設した複数個の基板を冷蔵庫内に配設することにより、冷蔵庫内の保存物による影の発生を抑制することができるので、庫内全体の保存物の視認性を向上することができる。また、発光ダイオード不良等の照明装置交換時に不良品のみ交換で良い為、安価でかつ、容易に交換することができる。
【００１６】
請求項２に記載の発明は、冷蔵庫内を照射する照明装置として、可視光線領域内の波長を発光する発光ダイオードの通電端子部を基板上に設けた通電端子受け部に接続する構成にすることにより、発光ダイオード不良等の照明装置交換時に不良品のみ交換で良い為、安価でかつ、容易に交換することができる。
【００１７】
請求項３に記載の発明は、冷蔵庫内を照射する照明装置として、可視光線領域内の波長を発光する発光ダイオードの通電端子先端に接続端子を設け、接続端子部を基板上に設けた接続端子受け部に接続する構成にすることにより、発光ダイオード不良等の照明装置交換時に不良品のみ交換で良い為、安価でかつ、容易に交換することができる。
【００１８】
請求項４に記載の発明は、冷蔵庫内を照射する照明装置として、可視光線領域内の波長を発光する発光ダイオードの通電端子先端に接続端子を設け、接続端子部を冷蔵庫内に設けた接続端子受け部に接続する構成にすることにより、発光ダイオード不良等の照明装置交換時に不良品のみ交換で良い為、安価でかつ、容易に交換することができる。
【００１９】
請求項５に記載の発明は、請求項１から４のいずれか一項に記載の発明において、照明装置の照明手段である発光ダイオードは、発光ダイオード前面に設けられたランプカバーと一体とすることにより、発光ダイオード不良等の照明装置交換時に安価でかつ、容易に交換することができる。
【００２０】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２１】
（実施の形態１）
以下、本発明の実施の形態１を図１から図５に基づいて説明する。図１は本発明の実施の形態１における冷蔵庫の扉を開けた状態の正面図、図２は同実施の形態における図１のＢ−Ｂ断面図、図３は同実施の形態における冷蔵庫の照明装置の要部縦断面図、図４は同実施の形態１における発光ダイオードの指向特性図、図５は同実施の形態１における冷蔵庫の照明装置の要部側断面図である。
【００２２】
図１、図２において、断熱材で周囲と断熱して構成されている冷蔵庫本体８は、複数の区画に区分されて貯蔵室を形成しており、最上部は、冷蔵室９であり、その直下に製氷室１０と第１の冷凍室１１を横並びで配置され、つづいて野菜室１２が配置され、最下段には第２の冷凍室１３が配置される構成となっている。
【００２３】
冷蔵室９は、保存物を重ならず整理して保存するための複数の収納棚１４を設け、一部上下に可動できるよう構成されている。最下段には、特定低温室１５が設けられている。
【００２４】
照明装置１６は、冷蔵庫庫内の扉開放側前面から見て、冷蔵室９の天面、背面、左側壁面と右側壁面にそれぞれ配設されている。
【００２５】
照明装置１６には発光ダイオード１７が各１個配設されている。
【００２６】
図３において、照明装置１６について詳細に説明する。
【００２７】
実装基板１８は平板状で、一面または両面に回路パターン（図示せず）が形成され、熱伝導性の良好なエポキシ樹脂系の基板や絶縁金属基板を使用される。通電端子受け部１９は実装基板１８の回路パターンに半田付けされて実装されている。発光ダイオード１７はＧａＮ系の青色ＬＥＤからの青色光を用いて蛍光材を励起して白色光を得る構造になっている。発光ダイオード１７は電流を通電する２本の通電端子２０が導出されており、通電端子受け部２０に直接、差し込まれる。
【００２８】
次に実装基板１８は、冷蔵庫内壁２１内に設けられた凹部２２に外枠２３と一体成型されたスペーサー２４によって保持されている。ランプカバー２５には発光ダイオード保持部２６が形成され、発光ダイオード１７の通電端子２０側にて保持している。
【００２９】
図４は、発光ダイオード１７の光の照射方向に関する指向性を示したグラフである。照射方向を垂直方向とすると照射される範囲は線内であり、たとえば照射量１／２では照射角は、Ｄの如く左右各３０°である。
【００３０】
図５において、実装基板１、白色ＬＥＤである発光ダイオード１７は、冷蔵室９の冷蔵室内壁２１に対し、角度Ａをなしてスペーサー２４によって保持されており、この角度Ａは発光ダイオード１７の指向性により、庫内を満遍なく照射できるように設定された任意の値であり、冷蔵庫庫内の容積と使用する発光ダイオードによって決められるが、最も光が届きにくい冷蔵室内の背面方向に配光されるように設定されている。この角度Ａとしては、３０°から６０°の間が望ましい。
【００３１】
以上のように構成された冷蔵庫について、以下その動作、作用を説明する。
【００３２】
まず、冷蔵庫の扉が閉まっている時には、発光ダイオード１７への通電は行なわず、庫内は照射されていない。扉が開けられると、発光ダイオード１７に順方向電流が流れて、白色光が発光される。ここまでは従来例と同様の動作である。
【００３３】
次に、発光ダイオード１７から発光された白色光は、ランプカバー２５に進光して、庫内が照射される。発光ダイオード１７の指向性により設定された照射角度により、強調され保存物に配光されることとなる。
【００３４】
また、発光ダイオード１７の交換時はランプカバー２５を取り外すと、発光ダイオード保持部２６が発光ダイオード１７を保持しているため、発光ダイオード１７が通電端子受け部１９から外れることとなる。
【００３５】
以上のように、本実施の形態においては、発光ダイオード１７を基板に各１個に配設しているので、冷蔵庫内に自由に配設できるため、保存物に遮られることなく、庫内を照射することができ、保存物の視認性を向上することができる。
【００３６】
また、発光ダイオード１７を基板に１個しか配設していないので、発光ダイオード１７の不良時や実装基板１８に不具合があった場合においても発光ダイオード１７や実装基板１８の不良品のみを交換すればよいため、安価に交換することができる。
【００３７】
また、発光ダイオード１７は実装基板１８に実装されていないため、簡単に交換することができる。
【００３８】
また、ランプカバー２５の発光ダイオード保持部２６にて発光ダイオード１７を保持しているため、発光ダイオード１７を通電端子受け部１９から外すときにも無理な力を加えることなく外すことができる。
【００３９】
また、ランプカバー２５に光拡散性を持つ材料を含有することにより、指向性のある発光ダイオード１７の発光をランプカバー２５で拡散させて庫内を照射させるので、食品等の保存物に均一な白色光が当たり視覚的な照射ムラがなくせ、更に照明の演出性を高めることができる。
【００４０】
また、ランプカバー２５を、エポキシ、アクリル、ポリカーボネート、ポリエチレン、ポリスチレン、ポリプロピレンなどの透明樹脂のうち、一つの材料もしくは複合材料をベース材として形成することにより、ランプカバー２５を自由な形状に成型加工できるので、容易な取り付け設計が可能になり、庫内の最適な任意の位置に照明装置が設置できる。
【００４１】
（実施の形態２）
図６は、本発明の実施の形態２における冷蔵庫の照明装置の要部縦断面図である。
【００４２】
尚、前記実施の形態１と同様の構成については詳細な説明は省略する。
【００４３】
実装基板１８の回路パターンには接続端子受け部２７が半田付されて実装されている。発光ダイオード１７から導出されている通電端子２０の先端には接続端子２８が取付けられ、接続端子受け部２７に差し込まれる。
【００４４】
以上のように構成された冷蔵庫について、以下その動作、作用を説明する。
【００４５】
まず、冷蔵庫の扉が閉まっている時には、発光ダイオード１７への通電は行なわず、庫内は照射されていない。扉が開けられると、実装基板１８から接続端子受け部２７、接続端子２８、通電端子２０を通して、発光ダイオード１７に順方向電流が流れて、白色光が発光される。
【００４６】
また、発光ダイオード１７の交換時はランプカバー２５を取り外した後、接続端子２８を接続端子受け部２７から取り外し、新たな接続端子２８がついた発光ダイオード１７を取付ける。
【００４７】
以上のように、本実施の形態においては、発光ダイオード１７の通電端子２０に接続端子２８を取付け、実装基板１８の接続端子受け部２７に差し込むようにしているので、発光ダイオードに不備があった場合でも、簡単に発光ダイオードの交換を行なうことができる。
【００４８】
（実施の形態３）
図７は、本発明の実施の形態３における冷蔵庫の照明装置の要部縦断面図である。
【００４９】
尚、前記実施の形態１と同様の構成については詳細な説明は省略する。
【００５０】
冷蔵室内壁２１には接続端子受け部２７が配設されている。接続端子受け部２７は冷蔵庫制御部（図示せず）とリード線（図示せず）で繋がっている。発光ダイオード１７から導出されている通電端子２０の先端には接続端子２８が取付けられ、接続端子受け部２７に差し込まれる。
【００５１】
以上のように構成された冷蔵庫について、以下その動作、作用を説明する。
【００５２】
まず、冷蔵庫の扉が閉まっている時には、発光ダイオード１７への通電は行なわず、庫内は照射されていない。扉が開けられると、冷蔵庫制御部からリード線、接続端子受け部２７、接続端子２８、通電端子２０を通して、発光ダイオード１７に順方向電流が流れて、白色光が発光される。
【００５３】
また、発光ダイオード１７の交換時はランプカバー２５を取り外した後、接続端子２８を接続端子受け部２７から取り外し、新たな接続端子２８がついた発光ダイオード１７を取付ける。
【００５４】
以上のように、本実施の形態においては、発光ダイオード１７の通電端子２０に接続端子２８を取付け、接続端子受け部２７に差し込むようにしているので、発光ダイオードに不備があった場合でも、簡単に発光ダイオードの交換を行なうことができる。
【００５５】
また、発光ダイオードを取付ける実装基板がいらないので、非常に安価に発光ダイオードを取付けることができる。
【産業上の利用可能性】
【００５６】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００５７】
【図１】本発明の実施の形態１における冷蔵庫の扉を開けた状態の正面図
【図２】同実施の形態における図１のＢ−Ｂ断面図
【図３】同実施の形態における冷蔵庫の照明装置の要部縦断面図
【図４】同実施の形態１における発光ダイオードの指向特性図
【図５】同実施の形態１における冷蔵庫の照明装置の要部側断面図
【図６】本発明の実施の形態２における冷蔵庫の照明装置の要部縦断面図
【図７】本発明の実施の形態３における冷蔵庫の照明装置の要部縦断面図
【図８】従来の製氷機の照明装置の斜視図
【図９】図７の照明装置を製氷機の庫内天面に設置した概念図
【符号の説明】
【００５８】
８    冷蔵庫本体
９    冷蔵室
１６  照明装置
１７  発光ダイオード
１８  実装基板
１９  通電端子受け部
２０  通電端子
２１  冷蔵庫内壁
２５  ランプカバー
２６  発光ダイオード保持部
２７  接続端子受け部
２８  接続端子
【図１】
2009115407.tif 000003
【図３】
2009115407.tif 000004
【図５】
2009115407.tif 000005
【図６】
2009115407.tif 000006
【図７】
2009115407.tif 000007
【図２】
2009115407.tif 000008
【図４】
2009115407.tif 000009
【図８】
2009115407.tif 000010
【図９】
2009115407.tif 000011